(57)【要約】      （修正有）【課題】安価な費用で簡便にインターネット環境において自分に適合した広告動映像を製作できる広告動映像方法及び装置を提供する。【解決手段】ユーザが事前に用意した様々な動映像クリップの目録を閲覧し、自分の商品広告に適合した動映像クリップを直接選択して配列した後、各動映像クリップに対応するように字幕テキストを入力し、背景音楽を選択して結合する。また、他人が生成した広告動映像を借用して、一部を自分に合わせて修正できるようにすることにより、全ユーザが簡便で容易に広告動映像を生成できる。また、自分が登録したコンテンツを用いて広告動映像を生成したユーザが支払った費用の一部を精算し、他のユーザが登録した広告動映像を借用して広告動映像を生成したユーザが支払った費用の一部を、借用された広告動映像の製作者に精算することにり、様々なコンテンツを確保することができ、広告動映像生成を活性化できる。【選択図】図２
2010130683.tif 000002
【特許請求の範囲】
【請求項１】
(b)広告動映像提供装置が、ユーザの選択に従って、複数の動映像クリップを、ユーザが選択した順序に従って配列する段階と;
(c)前記広告動映像提供装置が、ユーザの選択に従って、前記配列された動映像クリップに対応するように、背景音楽及び字幕テキストのうち少なくとも一つを配列する段階と;
(d)前記配列された動映像クリップと、前記背景音楽及び字幕テキストのうち少なくとも一つとを結合して広告動映像を生成する段階と、
を含むことを特徴とする広告動映像提供方法。
【請求項２】
前記(b)段階前に、
(a)複数のユーザ端末から動映像クリップ及び背景音楽のうち少なくとも一つを含む広告用コンテンツを受信し、前記広告用コンテンツの検索が容易に、多様な分類基準に従って、前記広告用コンテンツの特性を表現できる情報でインデックス情報を生成して前記広告用コンテンツと共に格納する段階、を更に含むことを特徴とする請求項１に記載の広告動映像提供方法。
【請求項３】
前記(b)段階において、
前記広告動映像提供装置は、ユーザから入力されたキーワードをインデックス情報に照会して、キーワードに対応する動映像クリップ目録をユーザに表示するか、あるいは、ユーザが選択した分類に該当する動映像クリップ目録をユーザに表示し、ユーザが選択した動映像クリップをユーザが選択した順序に従って配列することを特徴とする請求項２に記載の広告動映像提供方法。
【請求項４】
(e)ユーザが、前記広告動映像を生成するのに要する費用を決済すると、前記広告動映像提供装置が、前記広告動映像に用いられた広告コンテンツを登録したユーザに対して費用を精算して支払う段階、を更に含むことを特徴とする請求項２に記載の広告動映像提供方法。
【請求項５】
前記(d)段階後に、(f)前記生成された広告動映像を、他のユーザが利用できるように、広告動映像ライブラリに登録する段階を更に含み、
前記(b)段階及び前記(c)段階は、ユーザの選択に従って、前記(f)段階において登録された他のユーザの広告動映像に含まれた動映像クリップ、背景音楽、及び字幕テキストのうち少なくとも一つを修正して広告動映像を生成することを特徴とする請求項１に記載の広告動映像提供方法。
【請求項６】
請求項１から５のいずれか１項に記載の広告動映像提供方法をコンピュータで読取り可能であり、実行可能なプログラムコードで記録した記録媒体。
【請求項７】
複数の動映像クリップ及び複数の背景音楽を格納するデータベースと;
前記データベースから複数の動映像クリップを検索して、ユーザが選択した順序に従って配列し、ユーザが選択した背景音楽及びユーザが入力した字幕テキストのうち少なくとも一つを、ユーザの選択に従って、前記配列された動映像クリップに対応するように配列した後、前記動映像クリップと結合して広告動映像を生成する動映像編集部と、を含むことを特徴とする広告動映像提供装置。
【請求項８】
ユーザ端末から動映像クリップ及び背景音楽のうち少なくとも一つを含む広告コンテンツを受信して前記データベースに出力する通信部を更に含み、
前記データベースは、前記広告コンテンツの検索が容易に、多様な分類基準に従って分類し、前記コンテンツデータの特性を表現できるインデックス情報を生成して、広告コンテンツと共に格納することを特徴とする請求項７に記載の広告動映像提供装置。
【請求項９】
前記動映像編集部は、ユーザから入力されたキーワードをインデックス情報に照会して、キーワードに対応する動映像クリップ目録をユーザに表示するか、あるいは、ユーザが選択した分類基準に該当する動映像クリップ目録をユーザに表示し、ユーザが選択した動映像クリップをユーザが選択した順序に従って配列することを特徴とする請求項８に記載の広告動映像提供装置。
【請求項１０】
ユーザが、前記広告動映像を生成するのに要する費用をユーザ端末に出力し、ユーザが前記費用を決済すると、前記広告動映像に用いられた広告コンテンツを登録したユーザに対して費用を精算して支払う費用処理部、を更に含むことを特徴とする請求項８に記載の広告動映像提供装置。
【請求項１１】
前記動映像編集部は、ユーザの選択に従って、前記生成された広告動映像を他のユーザが利用できるように、前記データベースの広告動映像ライブラリに登録し、
前記動映像編集部は、ユーザの選択に従って、広告動映像ライブラリに登録された他のユーザの広告動映像に含まれた動映像クリップ、背景音楽、及び字幕テキストのうち少なくとも一つを修正して広告動映像を生成することを特徴とする請求項７に記載の広告動映像提供装置。
【発明の詳細な説明】
【技術分野】
【０００１】
本発明は、広告提供方法及び装置に関し、より具体的には、広告動映像提供方法及び装置に関する。
【背景技術】
【０００２】
情報通信技術の発展と共に、インターネットの利用は、人々の生活の一部分として位置づけられており、これによって、人々は、インターネット網に接続して情報を検索し、ポータルサイトを訪問して、各種サービスを提供されることが一般化されつつある。
【０００３】
また、インターネットを介して商品を販売し、購買する等のようなインターネットビジネス活動の規模が、全体産業規模に占める比重が急速に高まる趨勢にある。
【０００４】
このように、インターネット利用が普遍化されるに従って、企業等は、従来の新聞や放送に広告を行う画一的な広告方式から外れて、インターネットポータルサイトにバナー広告を掲載したり、キーワード広告を行ったりすることが一般化された。
【発明の概要】
【発明が解決しようとする課題】
【０００５】
しかしながら、このようなバナー広告やキーワード広告は、ユーザのクリックや検索といった積極的な行動を要求するようになるので、広告効果が高くないという問題点が存在した。このような問題点を解決するための従来の他の発明は、インターネットポータルやインターネットサイトの一定領域に広告動映像（広告動画）をプレーすることにより、該当サイトに接続したユーザ等に広告動映像を表示する。
【０００６】
しかしながら、このような広告動映像の場合は、ユーザ等が自分の動映像を製作しなければならないので、広告掲載費用だけでなく、高価の広告動映像製作費用が発生するので、小商業者等は、インターネット媒体に動映像広告を行い難いという短所が存在した。
【０００７】
本発明が解決しようとする課題は、安価な費用で簡便にインターネット環境において自分に適合した広告動映像を製作できる広告動映像方法及び装置を提供することにある。
【課題を解決するための手段】
【０００８】
前述の課題を達成するための本発明の広告動映像提供方法は、(b)広告動映像提供装置が、ユーザの選択に従って、複数の動映像クリップを、ユーザが選択した順序に従って配列する段階と;(c)前記広告動映像提供装置が、ユーザの選択に従って、前記配列された動映像クリップに対応するように、背景音楽及び字幕テキストのうち少なくとも一つを配列する段階と;(d)前記配列された動映像クリップと、前記背景音楽及び字幕テキストのうち少なくとも一つとを結合して広告動映像を生成する段階と、を含む。
【０００９】
また、前述の(b)段階前に、(a)複数のユーザ端末から動映像クリップ及び背景音楽のうち少なくとも一つを含む広告用コンテンツを受信し、前記広告用コンテンツの検索が容易に、多様な分類基準に従って、前記広告用コンテンツの特性を表現できる情報でインデックス情報を生成して前記広告用コンテンツと共に格納する段階、を更に含むことができる。
【００１０】
また、前述の(b)段階で、前記広告動映像提供装置は、ユーザから入力されたキーワードをインデックス情報に照会して、キーワードに対応する動映像クリップ目録をユーザに表示するか、あるいは、ユーザが選択した分類に該当する動映像クリップ目録をユーザに表示し、ユーザが選択した動映像クリップをユーザが選択した順序に従って配列することができる。
【００１１】
また、前述の広告動映像提供方法は、(e)ユーザが、前記広告動映像を生成するのに要する費用を決済すると、前記広告動映像提供装置が、前記広告動映像に用いられた広告コンテンツを登録したユーザに対して費用を精算して支払う段階、を更に含むことができる。
【００１２】
また、前述の広告動映像提供方法は、前述の(d)段階後に、(f)前記生成された広告動映像を、他のユーザが利用できるように、広告動映像ライブラリに登録する段階を更に含み、前述の(b)段階及び(c)段階は、ユーザの選択に従って、前記(f)段階において登録された他のユーザの広告動映像に含まれた動映像クリップ、背景音楽、及び字幕テキストのうち少なくとも一つを修正して広告動映像を生成することができる。
【００１３】
一方、前述の技術的課題を達成するための本発明の広告動映像提供装置は、複数の動映像クリップ及び複数の背景音楽を格納するデータベースと;前記データベースから複数の動映像クリップを検索して、ユーザが選択した順序に従って配列し、ユーザが選択した背景音楽及びユーザが入力した字幕テキストのうち少なくとも一つを、ユーザの選択に従って、前記配列された動映像クリップに対応するように配列した後、前記動映像クリップと結合して広告動映像を生成する動映像編集部を含む。
【００１４】
また、前述の広告動映像提供装置は、ユーザ端末から動映像クリップ及び背景音楽のうち少なくとも一つを含む広告コンテンツを受信して前記データベースに出力する通信部を更に含み、前記データベースは、前記広告コンテンツの検索が容易に、多様な分類基準に従って分類し、前記コンテンツデータの特性を表現できるインデックス情報を生成して、広告コンテンツと共に格納することができる。
【００１５】
また、前記動映像編集部は、ユーザから入力されたキーワードをインデックス情報に照会して、キーワードに対応する動映像クリップ目録をユーザに表示するか、あるいは、ユーザが選択した分類基準に該当する動映像クリップ目録をユーザに表示し、ユーザが選択した動映像クリップをユーザが選択した順序に従って配列することができる。
【００１６】
また、前述の広告動映像提供装置は、ユーザが、前記広告動映像を生成するのに要する費用をユーザ端末に出力し、ユーザが前記費用を決済すると、前記広告動映像に用いられた広告コンテンツを登録したユーザに対して費用を精算して支払う費用処理部、を更に含むことができる。
【００１７】
また、前述の動映像編集部は、ユーザの選択に従って、前記生成された広告動映像を他のユーザが利用できるように、前記データベースの広告動映像ライブラリに登録し、動映像編集部は、ユーザの選択に従って、広告動映像ライブラリに登録された他のユーザの広告動映像に含まれた動映像クリップ、背景音楽、及び字幕テキストのうち少なくとも一つを修正して広告動映像を生成することができる。
【発明の効果】
【００１８】
本発明は、ユーザが、事前に用意された様々な動映像クリップの目録を閲覧し、自分の商品広告に適合した動映像クリップを直接選択して配列した後、各動映像クリップに対応するように字幕テキストを入力し、背景音楽を選択して結合することによって、自分のみの広告動映像を簡便に生成できるという効果がある。
【００１９】
また、本発明は、広告動映像を生成しようとするが、広告的なアイディアが不在して、広告動映像を生成し難いユーザに対して、他人が生成した広告動映像を借用して、一部を自分に合わせて修正できるようにすることにより、全ユーザが、簡便で容易に広告動映像を生成できるという効果がある。
【００２０】
また、本発明は、広告動映像生成に用いられた動映像クリップ及び背景音楽などのようなコンテンツを登録したユーザに、自分が登録したコンテンツを用いて広告動映像を生成したユーザが支払った費用の一部を精算してやり、他のユーザが登録した広告動映像を借用して広告動映像を生成したユーザが支払った費用の一部を、借用された広告動映像の製作者に精算してやることによって、様々なコンテンツを確保することができ、広告動映像の生成を活性化できるという効果がある。
【図面の簡単な説明】
【００２１】
【図１】本発明の望ましい実施形態に係る広告動映像提供装置が、インターネット網のような有無線通信網を介してユーザ端末に連結されている全体構成を示す図である。
【図２】本発明の望ましい実施形態に係る広告動映像提供装置の構成を示すブロック図である。
【図３】本発明の望ましい実施形態に係るコンテンツアップロード過程を説明するフローチャートである。
【図４ａ】本発明の望ましい実施形態に係る広告動映像の生成を説明するフローチャートである。
【図４ｂ】本発明の望ましい実施形態に係る購買過程を説明するフローチャートである。
【図５ａ】本発明の広告動映像の編集過程を詳細に説明する詳細フローチャートである。
【図５ｂ】本発明の広告動映像の編集過程を詳細に説明する詳細フローチャートである。
【図６ａ】各広告動映像編集の動映像クリップ検索を説明する図である。
【図６ｂ】各広告動映像編集の動映像クリップ検索（ユーザが入力したきーキーワードによる検索）を説明する図である。
【図６ｃ】選択された動映像クリップがトラック配列調整領域に該当動映像の再生時間だけ棒状に表示され、代表イメージ表示領域に選択された動映像クリップの代表イメージが表示された例を説明する図である。
【図６ｄ】動映像クリップの選択が完了するまで処理が繰り返されることを説明する図である。
【図６ｅ】各動映像クリップに挿入されるべき字幕をテキストで入力されて字幕トラックに配列し、字幕が含まれた動映像を再生する図である。
【図６ｆ】ユーザが広告動映像に用いられる背景音楽及びその他音楽ファイルを検索し、プレヒアリングを行って気に入る音楽ファイルを選択する図である。
【図６ｇ】ユーザが、背景音楽の開始位置、長さ及びボリュームの大きさなどを調節して背景音楽をトラックに配列し、動映像及び字幕と共に再生し、背景音楽が確定されるまで処理が繰り返されることを説明する図である。
【図６ｈ】サウンド効果、画面効果、転換効果を適用した場合の、広告動映像ページがユーザ端末に表示されることを説明する図である。
【図６ｉ】ユーザが、他のユーザが生成した広告動映像で１番目の動映像クリップと３番目の動映像クリップとを変更した例を説明する図である。
【発明を実施するための形態】
【００２２】
以下、添付の図面を参照して、本発明の望ましい実施形態を説明する。
【００２３】
図１は、本発明の望ましい実施形態に係る広告動映像提供装置が、インターネット網のような有無線（有線／無線）通信網を介してユーザ端末に連結されている全体構成を示す図である。
【００２４】
図１を参照すれば、本発明の広告動映像提供装置２００は、有無線通信網を介して複数のユーザ端末１００に連結される。
【００２５】
本発明の広告動映像（広告動画）提供装置２００は、広告動映像（広告動画）生成に用いられる複数の動映像（動画）クリップ、背景音楽、及び効果音などを含む広告動映像（広告動画）に用いられるコンテンツ(以下、“広告用コンテンツ”と称する)を格納し、有無線（有線／無線）通信網を介して接続したユーザ端末１００に動映像（動画）編集機能を提供して、ユーザ端末１００から受信される編集命令に応じて、複数の動映像（動画）クリップを結合し、背景音楽、効果音、テキストなどを挿入して広告動映像（広告動画）を生成する。広告動映像（広告動画）提供装置２００は、生成された広告動映像（広告動画）を内部に格納し、ユーザに提供する。
【００２６】
広告動映像（広告動画）提供装置２００は、ユーザが製作してアップロードした広告用コンテンツ、又は、ユーザが製作した広告動映像（広告動画）を、他のユーザが利用できるように、ライブラリに登録して提供し、他のユーザがこれを用いる場合は、これを製作したユーザに一定の手数料を支払うようにする。
【００２７】
一方、ユーザ端末１００は、広告動映像（広告動画）提供装置２００に接続して、広告動映像（広告動画）提供装置２００が提供する動映像（動画）編集機能を用いて、自分が広告を出す商品に適合した動映像（動画）クリップを配置し、動映像（動画）クリップに対応するように、背景音楽、広告文句テキスト、及び効果音を配列した後、これらを結合して、自分のみの広告動映像（広告動画）を生成する。
【００２８】
また、ユーザ端末１００は、広告動映像（広告動画）提供装置２００に接続して、他のユーザが事前に生成した広告動映像（広告動画）を借用し、一定部分のみについて修正を実施して、自分のみの広告動映像（広告動画）を製作できる。
【００２９】
また、ユーザ端末１００は、自分が製作した動映像（動画）クリップ、背景音楽、効果音などの広告用コンテンツを広告動映像（広告動画）提供装置２００にアップロードして、他のユーザがこれを用いるか、あるいは、自分が編集して生成した広告動映像（広告動画）を他のユーザが用いる場合に、一定の手数料を支払ってもらえる。この場合、ユーザは、コンテンツ販売者となる。
【００３０】
ユーザ端末１００は、有無線（有線／無線）通信網を介して広告動映像提供装置２００に接続できる構成であれば、その具現方式に制限がなく、携帯電話、コンピュータ、ＰＤＡなどのような様々な電子機器として具現され得る。
【００３１】
図２は、本発明の望ましい実施形態に係る広告動映像（広告動画）提供装置の構成を示すブロック図である。図２を参照すれば、望ましい実施形態に係る広告動映像（広告動画）提供装置２００は、通信部２１０と、動映像（動画）編集部２２０と、費用処理部２３０と、データベース２４０と、を含む。
【００３２】
また、動映像（動画）編集部２２０は、動映像（動画）処理部２２２と、テキスト処理部２２４と、背景音楽処理部２２６と、効果音処理部２２８と、を含む。
【００３３】
また、データベース２４０は、動映像（動画）クリップ格納部２４１と、背景音楽格納部２４３と、効果音格納部２４５と、広告動映像（広告動画）格納部２４７と、会員情報格納部２４９と、を含む。
【００３４】
まず、通信部２１０は、有無線通信網を介して接続されたユーザ端末１００と通信を行って、ユーザを認証し、ユーザ端末１００に本発明の広告動映像編集機能を提供するための編集ページを転送する。また、通信部２１０は、ユーザ端末１００から受信された編集命令を動映像編集部２２０に提供する。また、通信部２１０は、ユーザ端末１００から受信された動映像クリップをデータベース２４０に出力して格納し、完成された広告動映像をユーザ端末１００に転送する。
【００３５】
動映像編集部２２０の動映像処理部２２２は、動映像クリップ格納部２４１に格納されたシーン単位の動映像クリップをユーザ端末１００に表示し、ユーザ端末１００が選択した動映像クリップを、ユーザ端末１００が選択した位置に配列した後、動映像クリップの配列が完成され、後述する広告文句テキストと背景音楽などが動映像クリップに対応するように配列されると、各動映像クリップ及び背景音楽、広告文句テキスト、効果音などを結合して広告動映像を生成する。
【００３６】
テキスト処理部２２４は、ユーザ端末１００からタイミング情報及びテキスト情報を受信し、広告文句テキストを、ユーザが指定したタイミングの動映像クリップに対応するように配列する。
【００３７】
背景音楽処理部２２６は、ユーザ端末１００からタイミング情報及び背景音楽選択情報を受信し、広告動映像が出力される際に一緒に出力されるべき背景音楽を、ユーザが選択したタイミングの動映像クリップに対応するように配列する。背景音楽は、全体動映像で一つのみが利用でき、２以上の背景音楽が利用されることもできる。
【００３８】
効果音処理部２２８は、ユーザ端末１００からタイミング情報及び効果音選択情報を受信し、効果音を、ユーザが指定したタイミングの動映像クリップに対応するように配列する。
【００３９】
費用処理部２３０は、広告動映像生成に対する費用をユーザに請求する。費用の算定は、多様な方式で適用可能であるが、最も簡単な例として、広告動映像１本につき定額として請求でき、ユーザが用いた広告コンテンツ別購買金額の合算として請求することもでき、ユーザが広告動映像の生成に用いた動映像クリップの個数と背景音楽の個数などに従って、ユーザに請求することもできる。
【００４０】
ユーザが決済した費用は、ユーザが用いた動映像クリップを製作した他のユーザ、及びユーザが借用した広告動映像を製作した他のユーザに手数料の一部を支払って、費用を精算する。
【００４１】
一方、データベース２４０の動映像クリップ格納部２４１は、本発明の広告動映像提供装置２００の運営者が事前に製作した動映像クリップ、及びユーザが直接製作した動映像クリップをコンテンツライブラリに登録して格納する。
【００４２】
動映像クリップ格納部２４１は、動映像クリップを、業種別、ジャンル別、素材別に大分類し、各大分類を複数の小分類に分類して登録する。例えば、後述する図６aに示されている例において、動映像クリップは、大分類である素材別分類の小分類として、人物、動物、事物、飲食、自然、風景、時間、アニメーション、３Ｄなどに分類でき、人物の下位分類として、男子、女子、家族、カップル、外国人などに分類して格納できる。
【００４３】
また、動映像クリップ格納部２４１は、ユーザが容易に動映像クリップを検索できるように、動映像クリップの内容及び特徴を説明するインデックスと共に、動映像クリップを格納する。
【００４４】
背景音楽格納部２４３及び効果音格納部２４５は、動映像クリップ格納部２４１と同じ方式で事前に用意されるか、ユーザがアップロードした背景音楽及び効果音をコンテンツライブラリに登録して各々格納する。この場合、背景音楽と効果音もインデックスが生成され、インデックスと共に格納される。
【００４５】
広告動映像格納部２４７は、ユーザが生成した広告動映像を格納する。広告動映像格納部２４７に格納された広告動映像は、インデックスと共に格納でき、この場合、広告動映像の一部は、ユーザが他のユーザの使用を許諾した場合に限って、広告動映像ライブラリに登録され、インデックスと共に格納され、広告動映像ライブラリに登録された広告動映像は、キーワードを用いて検索が可能である。
【００４６】
会員情報格納部２４９は、本発明の広告動映像提供サービスを用いるために、会員に加入した会員等の基礎情報とログイン情報とを格納し、該当会員等がアップロードした動映像クリップ及び広告動映像の目録を共に格納する。
【００４７】
以上、本発明の広告動映像提供装置２００の構成要素及び各構成要素の機能について説明した。前述の広告動映像提供装置２００の構成要素等の機能は、図３から図６ｈを参照して、後述する広告動映像提供方法によって、より詳細に説明される。
【００４８】
本発明の広告動映像提供方法は、コンテンツ登録過程と広告動映像生成・購買過程とから構成され、それぞれの過程は、互いに独立的に行える。コンテンツ登録過程において広告動映像の製作に用いられる動映像クリップ、背景音楽、効果音などの広告用コンテンツは、本発明の広告動映像提供装置２００の運営者によって登録されたり、自分が製作したコンテンツを販売するためのユーザによって登録されることができる。
【００４９】
また、広告動映像生成・購買過程において、ユーザは、コンテンツライブラリに登録された広告用コンテンツを用いて、自分が直接広告動映像を編集して生成し、決済を行うことによって広告動映像を購買することができ、他のユーザが事前に広告動映像ライブラリに登録した広告動映像を一部修正して購買することもできる。
【００５０】
図３は、本発明の望ましい実施形態に係る広告用コンテンツアップロード過程を説明するフローチャートである。図３を参照して、ユーザが広告用コンテンツを登録する過程を説明すれば、まず、ユーザ端末１００は、本発明の広告動映像提供装置２００に接続して、ＩＤ及びパスワードなどのログイン情報を入力し、ログインを行う(Ｓ３１０)。
【００５１】
ログインが完了すると、ユーザ端末１００は、内部に格納された動映像クリップ、背景音楽、及び効果音などの広告用コンテンツを広告動映像提供装置２００にアップロードし(Ｓ３２０)、広告動映像提供装置２００は、多様な形式で受信された広告用コンテンツファイルの形式を単一の形式に変換する(Ｓ３３０)。
【００５２】
広告動映像提供装置２００は、変換されたコンテンツに対してインデックス情報を生成する(Ｓ３４０)。インデックス情報は、該当コンテンツの再生時間、タグ、カテゴリー、記号学的特性(カラー、明るさ、動的要素等)などの要素を含むことができ、動映像の編集段階で効率的に検索され得るように、多様な分類基準に従って、コンテンツの特性を表現できる情報等が含まれる。
【００５３】
インデックス情報が生成された後、広告動映像提供装置２００は、コンテンツに技術的欠陥(コンテンツ一部の再生不可能等)及び内容的欠陥(特定人の誹謗、猥褻的な内容を含む等)が含まれているのか調べて、登録適合性を判断し(Ｓ３５０)、登録が適合した場合は、コンテンツライブラリに登録してデータベース２４０に格納する(Ｓ３６０)。
【００５４】
第Ｓ３５０段階で調べた結果、登録が適合しないと判断される場合、登録不適合理由が、インデックス情報が誤って生成されているためであるのか否かを調べて、インデックス情報が適合しない場合は、第Ｓ３４０段階に進んで、インデックス情報を再度生成する(Ｓ３７０)。
【００５５】
しかしながら、登録が適合しないと判断した理由が、インデックス情報の欠陥でない場合は、コンテンツ登録不可を通知し、コンテンツ登録過程は、終了する(Ｓ３８０)。
【００５６】
図４a及び図４bは、本発明の望ましい実施形態に係る広告動映像の生成及び購買過程を説明するフローチャートである。図４a及び図４bを参照して説明すれば、広告動映像を購買しようとするユーザは、ＩＤ及びパスワードなどを入力してログインを行い(Ｓ４０５)、ユーザ端末１００に表示されたメインメニューで既存広告動映像を借用するのか否かを選択する(Ｓ４１２)。ユーザが、既存広告動映像を借用しない場合は、第Ｓ４２０段階に進む。
【００５７】
ユーザが、既存広告動映像の借用を選択した場合、広告動映像提供装置２００は、ユーザ端末１００からユーザが借用を希望する広告動映像に関係するキーワードを受信し、広告動映像ライブラリに登録された既存広告動映像のインデックスを照会して、キーワードに対応する広告動映像目録をユーザ端末１００に表示し、ユーザは、目録から借用すべき広告動映像を選択する(Ｓ４１４)。
【００５８】
また、第Ｓ４１４段階において、ユーザは、広告動映像分類を選択して、商品、広告対象、広告地域など、多様な分類基準に従って事前に分類された広告動映像を検索して選択することもできる。
【００５９】
広告動映像提供装置２００は、ユーザが選択した広告動映像を、複数の構成コンテンツ(複数の動映像クリップ、背景音楽、効果音など)に分離してユーザ端末１００に表示する(Ｓ４１６)。
【００６０】
その後、ユーザは、広告動映像提供装置２００が提供する動映像編集機能を用いて、ユーザが既存広告動映像を借用する場合は、既存広告動映像を修正して自分のみの広告動映像を編集し、ユーザが既存広告動映像を借用しない場合は、直接広告動映像を構成する動映像クリップ、背景音楽、効果音などを選択して広告動映像を編集する(Ｓ４２０)。
【００６１】
広告動映像編集が完了すると、広告動映像提供装置は、編集された広告動映像に含まれた各コンテンツを結合して、広告動映像を生成し(Ｓ４３０)、広告動映像を他人が借用できるように広告ライブラリに登録するのか否かを問い合わせする(Ｓ４４０)。
【００６２】
使用者が、広告ライブラリの登録を望む場合に、広告動映像提供装置は、上述した第Ｓ３５０の段階と同様の方式により広告動映像の登録適合性を判断し(Ｓ４４２)、登録が適合する場合は、広告ライブラリに広告動映像を登録し(Ｓ４４４)、登録が適していない場合は、登録不可を使用者端末に通知する(Ｓ４４６)。
【００６３】
その後、広告動映像提供装置は、広告動映像生成に使われた費用の内訳を生成して使用者端末に出力し(Ｓ４５０)、使用者に費用決済を行うのか否かを問い合わせする(Ｓ４５２)。
【００６４】
使用者が費用決済を選択すると、使用者端末に費用決済ページを転送して費用を決済し、決済された費用を、該当広告動映像の生成に用いられた他の広告動映像を登録した使用者及び該当広告動映像に含まれたコンテンツを登録した他の使用者に費用を精算して分配する(Ｓ４５４)。
【００６５】
一方、使用者が決済を行わない場合は、生成された動映像の臨時格納の可否を使用者に問い合わせし(Ｓ４５６)、使用者が臨時格納を選択した場合は、使用者が、今後に費用を決済できるように広告動映像をデータベースに臨時格納し(Ｓ４５７)、臨時格納を選択しない場合は、使用者が生成した広告動映像を削除する(Ｓ４５８)。
【００６６】
図５a及び図５bは、図４に示された第Ｓ４２０段階の広告動映像の編集過程を詳細に説明する詳細フローチャートであり、図６aから図６hは、各広告動映像編集の各段階を説明する図である。図５aから図６hを参照して、ユーザが直接広告動映像を編集する過程(第Ｓ４２０段階)を説明する。
【００６７】
まず、広告動映像提供装置２００は、ユーザが広告動映像編集を行えるように、図６aに示されるような動映像編集ページをユーザ端末１００に表示する(Ｓ４２０-２)。
【００６８】
動映像編集ページは、トラック配列調整領域６１０と、動映像再生領域６２０と、コンテンツ選択領域６３０と、代表イメージ表示領域６４０と、関連動映像クリップ表示領域６５０と、決済金額表示領域６６０と、を含む。
【００６９】
トラック配列調整領域６１０は、ユーザが選択した各動映像クリップ、テキスト、背景音楽、効果音などの配列を確認し、調整できる領域である。動映像再生領域６２０は、ユーザが選択した動映像クリップ及び広告動映像が表示される領域である。コンテンツ選択領域６３０は、動映像クリップ、背景音楽、効果音、テキストなどの広告動映像を構成するコンテンツ等の目録を表示し、選択し、内容を変更できる領域である。代表イメージ表示領域６４０は、配列された動映像クリップの代表イメージを順に表示する領域である。関連動映像クリップ表示領域６５０は、ユーザが選択した動映像クリップに類似する動映像クリップを表示して、ユーザにとって簡便に動映像クリップを選択できるようにする領域である。決済金額表示領域６６０は、広告動映像が生成されると、決済すべき決済金額を表示する領域である。
【００７０】
編集ページが表示された後、広告動映像提供装置２００は、ユーザ端末１００から広告動映像時間を受信して時間を設定し、設定された時間６１１は、トラック配列調整領域６１０に表示される(Ｓ４２０-４)。
【００７１】
その後、ユーザは、動映像クリップを検索してプレビューを行う(Ｓ４２０-６)。動映像クリップ検索は、図６aに示されるように、事前に用意されたメニューバーから上位分類から下位分類へと一つずつ選択して行え、図６bに示されるように、ユーザが入力したキーワードをインデックスに照会して行うこともできる。
【００７２】
ユーザが、検索された動映像クリップのいずれかを選択すると、図６cに示されるように、該当動映像クリップが、トラック配列調整領域６１０に該当動映像の再生時間だけ棒状に表示され、代表イメージ表示領域に選択された動映像クリップの代表イメージが表示される(Ｓ４２０-８)。この場合、ユーザは、選択した動映像クリップの映像トラック上の順序を変更可能である。
【００７３】
ユーザが設定した広告動映像時間が全部終了するまで、図６dに示されるように、前述の第Ｓ４２０-８段階が繰り返して行われる(Ｓ４２０-１０)。
【００７４】
動映像クリップ選択が完了すると、広告動映像提供装置２００は、選択された動映像クリップを映像トラックに配列して、初めから終わりまで再生し(Ｓ４２０-１２)、ユーザが動映像クリップの配列に不満足な場合は、前述の第Ｓ４２０-１２段階に進んで配列を再度設定したり、ユーザの選択によっては、前述の第Ｓ４２０-６段階に進んで動映像クリップ選択過程から再度行う(Ｓ４２０-１４)。
【００７５】
ユーザが動映像クリップの配列に満足して、これを確定する場合、広告動映像提供装置２００は、図６eに示されるように、各動映像クリップに挿入されるべき字幕をテキストで入力されて字幕トラックに配列し、字幕が含まれた動映像を再生する(Ｓ４２０-１６)。
【００７６】
広告動映像提供装置２００は、ユーザが字幕を確定するまで、第Ｓ４２０-１６段階を繰り返して行う(Ｓ４２０-１８)。
【００７７】
字幕が確定されると、図６fに示されるように、ユーザは、広告動映像に用いられる背景音楽及びその他音楽ファイルを検索し、プレヒアリングを行って、気に入る音楽ファイルを選択する(Ｓ４２０-２０)。
【００７８】
その後、図６gに示されるように、広告動映像提供装置２００は、ユーザが、背景音楽の開始位置、長さ及びボリュームの大きさなどを調節して、背景音楽をトラックに配列し、動映像及び字幕と共に再生し(Ｓ４２０-２２)、背景音楽が確定されるまで、前述の第Ｓ４２０-２０段階及び第Ｓ４２０-２２段階を繰り返して行う(Ｓ４２０-２４)。
【００７９】
背景音楽が確定されると、広告動映像提供装置２００は、ユーザが選択した各種サウンド効果、画面効果、及び転換効果を、現在まで生成された広告動映像に適用する(Ｓ４２０-２６)。サウンド効果は、ナレーション(narration)などを含む効果音、又は、ボリューム調節機能を示し、画面効果は、動映像クリップ自体に各種ビジュアル効果を適用するものであり、例えば、動映像クリップ上にレイヤー状に各種フィルターコンポーネントを使用して、動映像クリップのビジュアルを変更する機能を意味する。また、転換効果は、図６hに示されるように、広告動映像に含まれた複数の動映像クリップが順次再生されるとき、動映像クリップ間に場面転換区間を滑らかに処理するためのものであり、一般によく知られたfade-in/fade-outがその例である。
【００８０】
広告動映像提供装置２００は、完成された広告動映像を再生し、ユーザから編集完了可否を入力され、広告動映像編集が完了すると、第Ｓ４３０段階に進み(Ｓ４２０-２８)、編集が完了していないと、広告動映像の再編集可否を問い合わせ、ユーザが再編集を選択すると、第Ｓ４２０-２段階に進む(Ｓ４２０-３０)。
【００８１】
以上、ユーザが直接広告動映像を編集する過程を例に挙げて、前述の第Ｓ４２０段階について説明した。
【００８２】
一方、ユーザが、前述の第Ｓ４１２段階において、他人が事前に登録した広告動映像を修正して広告動映像を生成することを選択した場合であって、前述の第Ｓ４１４段階において、ユーザが、図６aから図６hに示されるように、生成された広告動映像を修正することを選択した場合は、図６hに示されるような状態の広告動映像編集ページがユーザ端末１００に表示される。
【００８３】
ユーザは、他人が製作した広告動映像で構成コンテンツ(動映像クリップ、背景音楽、効果音、字幕等)の一部を変更して、自分が所望の広告動映像を生成できる。ユーザが、他のユーザが生成した広告動映像(図６hに示された例)で１番目の動映像クリップ６４１と３番目の動映像クリップ６４２とを変更した例を、図６iに示した。動映像クリップの他に、字幕テキストや背景音楽等も変更できることは言うまでもない。
【００８４】
以上、本発明の望ましい実施形態に係る広告動映像提供方法を説明した。但し、本発明の望ましい実施形態において、広告動映像提供装置２００は、複数のユーザ端末１００が接続された環境で広告動映像を生成すると説明したが、ソフトウェア的に具現され、個人用ユーザコンピュータに設けられ、ユーザから直接命令語を入力され、本発明の広告動映像を生成することもできる。
【００８５】
本発明は、更に、コンピュータ読取り可能な記録媒体に、コンピュータ読取り可能なコードとして具現することが可能である。コンピュータ読取り可能な記録媒体は、コンピュータシステムによって読み取られ得るデータが格納される全ての種類の記録装置を含む。コンピュータ読取り可能な記録媒体の例としては、ＲＯＭ、ＲＡＭ、ＣＤ-ＲＯＭ、磁気テープ、フロッピー（登録商標）ディスク、光データ格納装置などがあり、また、キャリアウェーブ(例えば、インターネットを通じた転送)の形態で具現されることも含む。また、コンピュータ読取り可能な記録媒体は、ネットワークに連結されたコンピュータシステムに分散され、分散方式によりコンピュータ読取り可能なコードが格納され、実行されることができる。
【００８６】
以上、本発明についてその望ましい実施形態を中心として考察してみた。本発明が属する技術分野において通常の知識を有する者は、本発明が、本発明の本質的な特性から逸脱しない範囲で変形された形で具現され得ることを理解できるはずである。したがって、開示の実施形態等は、限定的な観点でなく、説明的な観点から考慮されるべきである。本発明の範囲は、前述した説明でなく、特許請求範囲上に示されており、それと同等な範囲内にある全ての差異点は、本発明に含まれたものと解されるべきであろう。
【符号の説明】
【００８７】
１００  ユーザ端末
２００  広告動映像（広告動画）提供装置
２１０  通信部
２２０  動映像（動画）編集部
２２４  テキスト処理部
２２６  背景音楽処理部
２２８  効果音処理部
２４０  データベース
２４１  動映像（動画）クリップ格納部
２４３  背景音楽格納部
２４５  効果音格納部
２４７  広告動映像（広告動画）格納部
２４９  会員情報格納部    
【図１】
2010130683.tif 000003
【図２】
2010130683.tif 000004
【図３】
2010130683.tif 000005
【図４ａ】
2010130683.tif 000006
【図４ｂ】
2010130683.tif 000007
【図５ａ】
2010130683.tif 000008
【図５ｂ】
2010130683.tif 000009
【図６ａ】
2010130683.tif 000010
【図６ｂ】
2010130683.tif 000011
【図６ｃ】
2010130683.tif 000012
【図６ｄ】
2010130683.tif 000013
【図６ｅ】
2010130683.tif 000014
【図６ｆ】
2010130683.tif 000015
【図６ｇ】
2010130683.tif 000016
【図６ｈ】
2010130683.tif 000017
【図６ｉ】
2010130683.tif 000018